(57)【要約】【課題】      廉価に市販されている杉丸太を雪吊り用の支柱として使用することができると共に、雪吊りに係る吊り縄の支柱長さ方向に対する角度を統一できる雪吊り用補助具を提供する。【解決手段】  円筒体の側面には吊り縄６を挿通するための吊り縄挿通孔２が連続的に設けられると共に当該円筒体の中心方向に向い所定角度毎に当該側面の内面側にナット４が溶着されており、更に当該ナット４に上記円筒体の外側から締付けボルト３が螺着されていることを特徴とする。【選択図】    図３
0003108340.tif 000002
【実用新案登録請求の範囲】
【請求項１】
円筒体の側面には吊り縄を挿通するための穿孔が連続的に設けられると共に当該円筒体の中心方向に向い所定角度毎に上記円筒体の外側から締付けボルトが螺着されていることを特徴とする、雪吊り用補助具。
【請求項２】
円筒体の側面には吊り縄を挿通するための穿孔が連続的に設けられると共に当該円筒体の中心方向に向い所定角度毎に上記側面の内面側にナットが溶着されており、更に当該ナットに上記円筒体の外側から締付けボルトが螺着されていることを特徴とする、雪吊り用補助具。
【請求項３】
締付けボルトの先端を尖鋭とすること特徴とする、請求項１又は請求項２記載の雪吊り用補助具。
【考案の詳細な説明】
【技術分野】
【０００１】
本考案は、降雪の重みによって庭木類の枝等が折損することを防止するために案出された新規の雪吊り補助具に関する。
【背景技術】
【０００２】
従来、雪吊りとは、積もった雪の重みによる枝折れや樹形の崩れなどを防止するための手法で、古来より豪雪地帯に多く見られる。また、こうした雪吊りは、雪害の被害から街路樹や庭木を守るために年末に施工されるが、それらの造形は雪景色と相俟って季節の風物詩として広く紹介されている。
【０００３】
ここで、上記雪吊りの方法は熟練を要した職人の施工によるが、先ず対象となる樹木を観察し、どの枝に縄を結べば効果的できれいに見えるかイメージし、次にイメージが完成すると、支柱の先端を吊り縄で念入りに編みこみ、縄飾りに仕上げる工程がある。続いて、枝が折れないように支柱を幹に固定し、放射状に張られた縄を均等に分け、手で張りを確かめながら、手際よく枝に結び付けていく工程となる。この際、各々の松には縄で支柱の先端に竹葉模様、根元に巻かれた藁には松の葉模様が施され、全体で"松・竹・梅"等が表現されるという。また、支柱を縛る縄を巻く回数もそれぞれ３重・５重・７重とされ風雅な趣を醸し出している。
【０００４】
ところが、このようにして施工される雪吊りは、丸太を支柱として立設する一方、支柱上端に多数本の吊り縄を宝珠状に結束して垂らし、その垂らした吊り縄に樹枝を繋いで当該樹枝を吊り上げるように施工されるが、上記支柱先端に多数の吊り縄を外れないように固定するには手慣れた職人による技能が必要となっている。そこで、上記技能を要せずとも簡単に風雅な趣のある雪吊りの施工が可能となる雪吊り用具の提案が求められて久しい。
【０００５】
そのような要望に応えるものとして、特開２００１−３７３５４号に係る発明などが見受けられる。ここで、当該特開２００１−３７３５４号に係る発明は、金属又は合成樹脂等の支柱と、当該支柱の上端部に着脱自在に装着する金属又は合成樹脂等の嵌合部材を設け、更に当該嵌合部材に数個の放射状杆を設け、当該放射状杆の先端金属又は合成樹脂製のリング環を設け、縄等の吊り紐を挿通する数個の挿通孔を設けた取付体とより成り、且つ上記支柱の上端部に当該取付体を装着したことを要旨とするものであった。また更に、当該発明に係る雪吊り具によれば、支柱に縄等の吊り紐を確実強固に取付けることができると共に複雑な取付け手段を要することがなく、素人でも簡単に作業を行なうことができるという利点があるとの記載がある。
【特許文献１】特開２００１−３７３５４号公報
【０００６】
しかしながら、上記特開２００１−３７３５４号に係る発明に開示された雪吊り具において、その特許請求の範囲の欄の請求項１、請求項３、請求項４に記載の雪吊り具は、予め設定された長さから成る金属又は合成樹脂等の支柱の上端部に取付体を装着するようにしたものであり、当該雪吊り具によって、種々に高さの違う樹木の雪吊りを施工する場合、高木の場合にはこれに係る支柱の先端から樹枝に繋がれる吊り縄の支柱長さ方向に対する角度が大きくなる一方、逆に低木の場合には吊り縄の支柱長さ方向に対する角度が小さくなり、景観的に不揃になり美観を損なうといった欠点があった。これに対して、請求項２に記載の雪吊り具は、操作部を介して支柱の長さを伸縮可能にしたものであり、これによれば吊り縄の支柱長さ方向に対する角度を統一できると考えられるが、支柱部材のコストが嵩むと共に支柱を伸縮するための構造から金属又は合成樹脂製となり景観的にも相応しくないという欠点がある。
【考案の開示】
【考案が解決しようとする課題】
【０００７】
本考案は、上記背景技術の欄に記載の従来の雪吊り具が有する欠点等に鑑み成されたものであり、ホームセンター等で廉価に市販されている杉丸太を雪吊り用の支柱として使用することができると共に、雪吊りに係る吊り縄の支柱長さ方向に対する角度を統一できる雪吊り用補助具を提供することを目的としている。
【課題を解決するための手段】
【０００８】
上記目的を達成するため、本考案に係る雪吊り用補助具は、円筒体の側面には吊り縄を挿通するための穿孔が連続的に設けられると共に当該円筒体の中心方向に向い所定角度毎に上記円筒体の外側から締付けボルトが螺着されていることを第一の要旨とする。
【０００９】
更に、本考案に係る雪吊り用補助具は、円筒体の側面には吊り縄を挿通するための穿孔が連続的に設けられると共に円筒体の中心方向に向い所定角度毎に当該側面の内面側にナットが溶着されており、更に当該ナットに上記円筒体の外側から締付けボルトが螺着されていることを第二の要旨とする。
【００１０】
続いて、本考案に係る雪吊り用補助具においては、締付けボルトの先端を尖鋭とすることができる。
【考案を実施するための最良の形態】
【００１１】
本考案に係る雪吊り用補助具は、円筒体の側面には吊り縄を挿通するための穿孔が連続的に設けられると共に当該円筒体の中心方向に向い所定角度毎に上記円筒体の外側から締付けボルトが具備されているので、予め上記円筒体の側面に設けられた吊り縄挿通孔に樹枝を吊り上げるための吊り縄を挿通した上で雪吊り用の支柱に挿通し、施工者の任意の箇所で締付けボルトを締め付けて当該雪吊り用補助具を固着することができる。これより、樹高が異なる樹木であっても伸縮自在の支柱を使用せずに、雪吊りに係る吊り縄の支柱長さ方向に対する角度を統一して雪吊り作業を簡単に施工するという目的が達成できる。
【実施例１】
【００１２】
以下、実施例に基づき更に本考案に係る雪吊り補助具について詳説するものとする。先ず、図１は本考案に係る雪吊り用補助具の正面図であり、図２は図１の一部を切欠して断面を図示した平面図である。図示のように、本考案に係る雪吊り用補助具１は、略扁平な円筒体の側面に吊り縄挿通孔２が連続的に設けられると共に円筒体の中心方向に向い１２０度毎に締付けボルト３が具備されている。ここで、上記円筒体は硬質な金属製材料から形成されるものとし、図中の締付けボルト３は各々独立して時計方向の締付けにより上記円筒体の中心方向へ前進する一方、反時計方向の回転により上記円筒体の中心方向から後退するようになっている。更にここで、本考案に係る雪吊り用補助具１においては、締付けボルト３のネジ溝に対応して、上記円筒体自体をやや肉厚なものとしネジ溝が螺刻されている。
【００１３】
次に、図３は本考案に係る別の雪吊り用補助具の一部を切欠して断面を図示した平面図である。ここで本考案に係る別の雪吊り用補助具７は、図示のように円筒体の中心方向に向い１２０度毎に側面の内面側にナット４が溶着されており、更にナット４に締付けボルト３が螺着されている。ここでは、先の本考案に係る雪吊り用補助具１とは異なり、締付けボルト３のネジ溝に対応するネジ溝としてナット４が機能するものであるから、上記円筒体については特に肉厚なものとする必要はない。
【００１４】
続いて、図４は本考案に係るもう一つの雪吊り用補助具を支柱に固着した際の、雪吊り用補助具の一部を切欠して断面を図示した平面図である。図示のように、本考案に係るもう一つの雪吊り用補助具８における締付けボルト３の先端は尖鋭であり、杉丸太製の支柱５側面に締付けボルト３の先端が喰い込んでいる。また、図示のように、ここでの吊り縄挿通孔２は締付けボルト３の１２０度毎間に４個であり、特に吊り縄６先端に結び目を形成せずとも、図示のように隣り合う２つの吊り縄挿通孔２を一対として、吊り縄６を挿入・挿出することができる。この際、市販の杉丸太は間伐材が利用されるものであり樹皮が荒く削り取られた状態のものであるから、支柱先端部側と支柱端部側の太さにはある程度の相違がある。そこで、図示のように、本考案に係るもう一つの雪吊り用補助具８（前述の本考案に係る雪吊り用補助具１及び本考案に係る別の雪吊り用補助具７についても同様であるが）においては、締付けボルト３の操作によって杉丸太製の支柱５の先端方向における固着も逆に端部方向への固着も可能である。
【００１５】
更にまた、図５は吊り縄挿通孔に吊り縄を挿通した本考案に係る雪吊り補助具を支柱に固着した状態の概要図である。雪吊り施工の対象となる樹木の樹高と枝の広がりを観察の上、支柱５に対する本考案に係る雪吊り補助具１の固着位置が設定される。
【００１６】
そしてまた、図６は、高木及び低木に対して本考案に係る雪吊り用補助具を使用して雪吊りを施工する際、支柱の長さ方向に対して吊り縄を同一角度で分配した際の概要図である。（樹木については図示を省略してある。）ここで、左側に図示のものが高木であり、右側は低木である。図示のように、本考案に係る雪吊り用補助具１は、支柱５の任意の高さ位置に固着可能であるから、高木で枝の広がりが水平方向に比較的狭いものであっても、比較的低木で水平方向に枝が広がっているものであっても、支柱５の長さ方向に対する吊り縄６を同一角度で分配できる。図示においては、支柱５の長さ方向に対する先端方向からの分配角度は３０度である。更にここで、右側に図示の場合には、本考案に係る雪吊り用補助具１を支柱５の中間部分に固着している関係から、上記雪吊り用補助具１の上部に支柱５の先端部分は延出しているが、予め若干の先端部分を残存させて切除するようにしても良い。いずれにせよ、上記のように支柱５の長さ方向に対して吊り縄６を同一角度で分配して雪吊りを施工した場合には、一般家庭の庭をはじめ公共の庭園・公園等において規則的で落ち着きのある景観が形成される。
【産業上の利用可能性】
【００１７】
本考案に係る雪吊り用補助具は、上述のように構成されていることから、以下に記載する効果を奏す。
【００１８】
第一に、本考案に係る雪吊り用補助具によれば、市販の廉価な杉丸太を支柱として使用し、素人であっても迅速に雪吊りを施工できるいう効果がある。
【００１９】
第二に、本考案に係る雪吊り用補助具によれば、支柱の任意の高さ箇所に雪吊り用補助具を固着できることから、支柱の長さ方向に対する吊り縄を同一角度で分配できるので、規則的で落ち着きのある雪吊り施工を実施できるという効果もある。
【図面の簡単な説明】
【００２０】
【図１】本考案に係る雪吊り用補助具の正面図。
【図２】図１の一部を切欠して断面を図示した平面図。
【図３】本考案に係る別の雪吊り用補助具の一部を切欠して断面を図示した平面図。
【図４】本考案に係るもう一つの雪吊り用補助具を支柱に固着した際の、雪吊り用補助具の一部を切欠して断面を図示した平面図。
【図５】吊り縄挿通孔に吊り縄を挿通した本考案に係る雪吊り補助具を支柱に固着した状態の概要図。
【図６】高木及び低木に対して本考案に係る雪吊り用補助具を使用して雪吊りを施工する際、支柱の長さ方向に対して吊り縄を同一角度で分配した際の概要図。
【符号の説明】
【００２１】
１    本考案に係る雪吊り用補助具
２    吊り縄挿通孔
３    締付けボルト
４    ナット
５    支柱
６    吊り縄
７    本考案に係る別の雪吊り用補助具
８    本考案に係るもう一つの雪吊り用補助具
【図１】
0003108340.tif 000003
【図２】
0003108340.tif 000004
【図３】
0003108340.tif 000005
【図４】
0003108340.tif 000006
【図５】
0003108340.tif 000007
【図６】
0003108340.tif 000008